(57)【要約】  【課題】  この発明の課題は、読取り原稿が透明板から浮くのを防止する。また、読取り原稿のセットを容易にする。これにより、前記の従来の画像読取装置に比較して一辺を綴じられた書籍の頁を読むのに好適な画像読取装置を提供することにある。  画像読取装置を提供する。  【解決手段】  筐体を縦長の断面とする筒形で形成し、前記筐体の前面に読取り原稿と接触する略垂直に設けた透明板と、この透明板の背面に沿って走行する読取ユニットとを備え、書籍等の読取り原稿を僅か開いた状態で前記筐体に跨らせることにより、その透明板と接触する頁を読み取る画像読取装置であって、前記筐体に跨らせた読取り原稿の綴じ部を前記筐体の上部へと押圧する原稿押さえを備える。【選択図】            図１
2006203377.tif 000002
【特許請求の範囲】
【請求項１】
筐体を縦長の断面とする筒形で形成し、前記筐体の前面に読取り原稿と接触する略垂直に設けた透明板と、この透明板の背面に沿って走行する読取ユニットとを備え、書籍等の読取り原稿を僅か開いた状態で前記筐体に跨らせることにより、その透明板と接触する頁を読み取る画像読取装置であって、
前記筐体に跨らせた読取り原稿の綴じ部を前記筐体の上部へと押圧する原稿押さえを備える、
ことを特徴とした画像読取装置。
【請求項２】
前記の画像読取装置において、
前記原稿押さえは、
前記読取り原稿の綴じ部を外側から挟みこむように略コ字形状に形成するとともに、前記筐体の下部から伸びる伸縮自在な伸縮部材と連結されて伸縮部材の伸張力により前記読取り原稿の綴じ部を前記筐体の上部へと押圧する、
ことを特徴とした請求項１に記載の画像読取装置。
【請求項３】
前記の画像読取装置において、
前記原稿押さえは、
前記読取り原稿の綴じ部を外側から挟みこむように折り目を設けて略コ字形状に形成するとともに、少なくともその一端が錘となり前記読取り原稿を前記筐体の上部へと押圧する、
ことを特徴とした請求項１に記載の画像読取装置。
【請求項４】
前記の画像読取装置において、
前記原稿押さえは、
細長いアーム状に形成され、
前記筐体の一端に設ける揺動自在な継ぎ手構造を持つ支点部に前記アームの一端を揺動自在に装着され、
前記の書籍等の読取り原稿を読取る場合は前記アームを前記筐体の上部に設置させ、アームの他端に設ける押え部によって前記読取り原稿を前記筐体の上部へと押圧し、
前記画像読取装置を使用しない場合は前記アームを前記筐体の前面に設置させる、
ことを特徴とした請求項１に記載の画像読取装置。
【請求項５】
前記の画像読取装置において、
前記原稿押さえは、
細長いアーム状に形成され、
前記筐体の上部に設ける上下動自在な支持構造を持つ支持部に前記アームの一端を上下動自在に装着され、
前記の書籍等の読取り原稿を読取る場合は原稿押さえを下方へと移動させて設置させ、アームの他端に設ける押え部によって前記読取り原稿を前記筐体の上部へと押圧する、
ことを特徴とした請求項１に記載の画像読取装置。
【請求項６】
筐体を縦長の断面とする筒形で形成し、前記筐体の前面に読取り原稿と接触する略垂直に設けた透明板と、この透明板の背面に沿って走行する読取ユニットとを備え、書籍等の読取り原稿を僅か開いた状態で前記筐体に跨らせることにより、その透明板と接触する頁を読み取る画像読取装置であって、
前記筐体に跨らせた読取り原稿の綴じ部の内側と接触する摩擦係数が大きい部材で形成する滑り防止部材を前記筐体の上部に備える、
ことを特徴とした画像読取装置。
【請求項７】
筐体を縦長の断面とする筒形で形成し、前記筐体の前面に読取り原稿と接触する略垂直に設けた透明板と、この透明板の背面に沿って走行する読取ユニットとを備え、書籍等の読取り原稿を僅か開いた状態で前記筐体に跨らせることにより、その透明板と接触する頁を読み取る画像読取装置であって、
前記筐体の一端から他端に伸びる伸縮自在な線状の伸縮部材によって構成する原稿押さえを備え、
前記筐体に跨らせた読取り原稿を前記透明板の略中央部側へと押圧する、
ことを特徴とした画像読取装置。
【請求項８】
筐体を縦長の断面とする筒形で形成し、前記筐体の前面に読取り原稿と接触する略垂直に設けた透明板と、この透明板の背面に沿って走行する読取ユニットとを備え、書籍等の読取り原稿を僅か開いた状態で前記筐体に跨らせることにより、その透明板と接触する頁を読み取る画像読取装置であって、
細長いアーム状に形成するとともに、アームの一端が回転機構を持つ支点部に回転自在に装着された原稿押さえを備え、
前記筐体に跨らせた読取り原稿を前記透明板の略中央部側へと押圧する、
ことを特徴とした画像読取装置。
【請求項９】
筐体を縦長の断面とする筒形で形成し、前記筐体の前面に読取り原稿と接触する略垂直に設けた透明板と、この透明板の背面に沿って走行する読取ユニットとを備え、書籍等の読取り原稿を僅か開いた状態で前記筐体に跨らせることにより、その透明板と接触する頁を読み取る画像読取装置であって、
前記筐体に巻き付ける伸縮自在な環状の伸縮部材によって構成する原稿押さえを備え、
前記筐体に跨らせた読取り原稿を前記透明板側に押圧する、
ことを特徴とした画像読取装置。
【請求項１０】
筐体を縦長の断面とする筒形で形成し、前記筐体の前面に読取り原稿と接触する略垂直に設けた透明板と、この透明板の背面に沿って走行する読取ユニットとを備え、書籍等の読取り原稿を僅か開いた状態で前記筐体に跨らせることにより、その透明板と接触する頁を読み取る画像読取装置であって、
略コ字形状に形成され、その両端が前記筐体の後面に設ける開閉自在に構成する支持部に装着された原稿押さえを備え、
前記筐体に跨らせた読取り原稿を前記透明板側に押圧する、
ことを特徴とした画像読取装置。
【請求項１１】
筐体を縦長の断面とする筒形で形成し、前記筐体の前面に読取り原稿と接触する略垂直に設けた透明板と、この透明板の背面に沿って走行する読取ユニットとを備え、書籍等の読取り原稿を僅か開いた状態で前記筐体に跨らせることにより、その透明板と接触する頁を読み取る画像読取装置であって、
前記筐体に跨らせた読取り原稿の一辺を突き当てるとともに前記読取り原稿の一辺を挟みこむように略Ｌ字形状に形成された原稿押さえを備える、
ことを特徴とした画像読取装置。
【請求項１２】
筐体を縦長の断面とする筒形で形成し、前記筐体の前面に読取り原稿と接触する略垂直に設けた透明板と、この透明板の背面に沿って走行する読取ユニットとを備え、書籍等の読取り原稿を僅か開いた状態で前記筐体に跨らせることにより、その透明板と接触する頁を読み取る画像読取装置であって、
前記筐体の前面にエアーを噴出するノズルを配置し、真空ポンプによってエアーを前記透明板側へと吹き付ける機構を備え、
前記筐体に跨らせた読取り原稿を前記透明板側に押圧する、
ことを特徴とした画像読取装置。
【発明の詳細な説明】
【技術分野】
【０００１】
この発明は、透明板で形成された原稿台とこの原稿台に沿って走行する読取ユニットとを備えたフラットベッド型と呼ばれる画像読取装置に関し、一辺を綴じられた書籍の頁を読む、あるいは一辺を綴じられた書籍の頁及び１枚ずつばらばらになった原稿を読み取り可能な画像読取装置に関するものである。
【背景技術】
【０００２】
一般的に広く利用されている画像読取装置は、シートフィード型のものとフラットベッド型のものとに大別される。フラットベッド型のものは原稿台となる透明板を備えており、この透明板に沿って読取ユニットが走行する。読取ユニットには等倍光学系（密着光学系）を用いたものと、縮小光学系を用いたものとがある。
【０００３】
従来一般に用いられているフラットベッド型の画像読取装置は、四角い箱形の筐体の上面に透明板が設けてあり、原稿をその透明板の上に載せて読み取るようになっている。このような構造の画像読取装置は、１枚ずつばらばらになった原稿を読み取るには便利であるが、書籍のように一辺を綴じられた原稿の１頁を読み取るときには、読み取ろうとする頁を１８０度開いて、しかも綴じた部分を強く透明板に押し付けた状態で読み取らなければならない。このようにすると、書籍特に厚い書籍は綴じた部分が緩んで本を傷める結果となり、またどのようにしても、綴じた部分では読み取ろうとする紙面が透明板から浮き上がって、文字や図形が変形したり紙が浮き上がった部分が黒い汚れとなって読み取られたりする。さらにまた、従来一般に用いられているフラットベッド型の画像読取装置は、設置面積を大きく取り、実際の仕事をする環境において、画像読取装置を使用しない場合は、薄型の装置においては本立て部等に設置することはできるが、画像読取装置を使用する時はマウスやキーボードあるいはパソコンを片付ける必要があった。
【０００４】
この問題点を解決するため、一辺を綴じられた複数枚のシートからなる原稿、典型的には書籍を読み取るのに特に好適で、かつ設置面積を大きくしない画像読取装置が望まれており、厚い書籍であってもその綴じ辺の近傍に文字や図形の変形を生じたり、黒い汚れを生ずることなく正確に読み取ることが可能な画像読取装置が提案されている。
【０００５】
前記の従来の画像読取装置は、筐体の一面に原稿台となる透明板を備え、この透明板の背面に沿って走行する読取ユニットを備えた画像読取装置において、筐体が三角筒形または台形筒形であり、縮小光学系を備えた読取ユニットがその筒軸方向に走行し、三角筒の一つの面または台形筒の底面に装着された透明板は、その側辺の少なくとも一方を三角筒の一つの辺または台形筒の底面の一つの側辺の直近に位置させて設けられている。
（例えば、特許文献１を参照）
【０００６】
前記の従来の画像読取装置によれば、書籍などに代表される一辺を綴じた多数のシートからなる原稿を、その綴じ辺の直近まで正確にかつ用紙の浮き上がりによる汚れを生ずることなく読み取ることが可能で、かつ読取時の綴じ辺の開き角が小さく、従って書籍等を傷めることなく必要な頁を読み取ることができる。
【０００７】
従来の技術では、一辺を綴じられた書籍の頁を読むのに好適ではあるが、前記の従来の筐体が三角筒形または台形筒形からなる画像読取装置の設置面積は、従来一般に用いられている前記のフラットベッド型の画像読取装置の設置面積と比較すれば小さいが、それでもまだ満足できるものではなく、設置場所を自由に選択することもできず、実際の仕事をする環境において十分に満足する装置ではなかった。
【０００８】
このため、前記の従来の画像読取装置に比較して設置面積を小さくし、かつ設置場所を自由に選択することができ、かつ一辺を綴じられた書籍の頁を読むのに好適な画像読取装置が提案されている。
【０００９】
この従来の画像読取装置は、筐体を縦長の断面とする筒形で形成し、前記筐体の前面に読取り原稿と接触する透明板を備え、この透明板の背面に沿って前記筐体の筒軸方向（副走査方向）に走行する読取ユニットを備えた画像読取装置であって、前記読取ユニットは縮小光学系を構成する結像レンズ及びイメージセンサを主走査方向の読取り幅の中央部より下方に偏倚して備えるものである。この従来の画像読取装置は、書籍等の読取り原稿を僅か開いた状態で筐体に跨らせることにより、その透明板と接触する頁を読み取ることができるので、設置面積を小さくし、かつ設置場所を自由に選択することができ、かつ一辺を綴じられた書籍の頁を読むのに好適な画像読取装置ではある。
（例えば、特許文献２を参照）
【００１０】
【特許文献１】特開平１１−４１３９３号公報
【特許文献２】特願２００４−３２９１３１号公報
【発明の開示】
【発明が解決しようとする課題】
【００１１】
前記のごとく、従来の技術では次のような問題点がある。
【００１２】
しかし、従来の技術では、読取り原稿と接触する透明板は略垂直に設けられているので、読取り原稿と透明板との接触が十分ではなく、読取り原稿が透明板から浮いた状態になる場合がある。特に書籍の綴じ部近傍が透明板から浮いた状態になるケースが多い。このため、書籍を読取る場合には書籍を外側から透明板側に押圧する必要があり、操作者が自身の手で書籍を外側から透明板側に押圧している。そして、書籍を読み終わった後に、手を離した場合には、書籍が画像読取装置から落下することもあり、実際の仕事をする環境において十分に満足する装置ではなかった。
【００１３】
この発明の課題は、読取り原稿が透明板から浮くのを防止する。また、読取り原稿のセットを容易にする。これにより、前記の従来の画像読取装置に比較して一辺を綴じられた書籍の頁を読むのに好適な画像読取装置を提供することにある。
【課題を解決するための手段】
【００１４】
前記の問題点を解決するために、この発明では次に示す手段を取った。
【００１５】
本発明の画像読取装置は、筐体を縦長の断面とする筒形で形成し、前記筐体の前面に読取り原稿と接触する略垂直に設けた透明板と、この透明板の背面に沿って走行する読取ユニットとを備え、書籍等の読取り原稿を僅か開いた状態で前記筐体に跨らせることにより、その透明板と接触する頁を読み取る画像読取装置であって、
前記筐体に跨らせた読取り原稿の綴じ部を前記筐体の上部へと押圧する原稿押さえを備えることを特徴とする。
【００１６】
また、本発明の画像読取装置は、筐体を縦長の断面とする筒形で形成し、前記筐体の前面に読取り原稿と接触する略垂直に設けた透明板と、この透明板の背面に沿って走行する読取ユニットとを備え、書籍等の読取り原稿を僅か開いた状態で前記筐体に跨らせることにより、その透明板と接触する頁を読み取る画像読取装置であって、
前記筐体に跨らせた読取り原稿の綴じ部の内側と接触する摩擦係数が大きい部材で形成する滑り防止部材を前記筐体の上部に備えることを特徴とする。
【００１７】
また、本発明の画像読取装置は、筐体を縦長の断面とする筒形で形成し、前記筐体の前面に読取り原稿と接触する略垂直に設けた透明板と、この透明板の背面に沿って走行する読取ユニットとを備え、書籍等の読取り原稿を僅か開いた状態で前記筐体に跨らせることにより、その透明板と接触する頁を読み取る画像読取装置であって、
前記筐体の一端から他端に伸びる伸縮自在な線状の伸縮部材によって構成する原稿押さえを備え、前記筐体に跨らせた読取り原稿を前記透明板の略中央部側へと押圧することを特徴とする。
【００１８】
また、本発明の画像読取装置は、筐体を縦長の断面とする筒形で形成し、前記筐体の前面に読取り原稿と接触する略垂直に設けた透明板と、この透明板の背面に沿って走行する読取ユニットとを備え、書籍等の読取り原稿を僅か開いた状態で前記筐体に跨らせることにより、その透明板と接触する頁を読み取る画像読取装置であって、
細長いアーム状に形成するとともに、アームの一端が回転機構を持つ支点部に回転自在に装着された原稿押さえを備え、
前記筐体に跨らせた読取り原稿を前記透明板の略中央部側へと押圧することを特徴とする。
【００１９】
また、本発明の画像読取装置は、筐体を縦長の断面とする筒形で形成し、前記筐体の前面に読取り原稿と接触する略垂直に設けた透明板と、この透明板の背面に沿って走行する読取ユニットとを備え、書籍等の読取り原稿を僅か開いた状態で前記筐体に跨らせることにより、その透明板と接触する頁を読み取る画像読取装置であって、
前記筐体に巻き付ける伸縮自在な環状の伸縮部材によって構成する原稿押さえを備え、前記筐体に跨らせた読取り原稿を前記透明板側に押圧することを特徴とする。
【００２０】
また、本発明の画像読取装置は、筐体を縦長の断面とする筒形で形成し、前記筐体の前面に読取り原稿と接触する略垂直に設けた透明板と、この透明板の背面に沿って走行する読取ユニットとを備え、書籍等の読取り原稿を僅か開いた状態で前記筐体に跨らせることにより、その透明板と接触する頁を読み取る画像読取装置であって、
略コ字形状に形成され、その両端が前記筐体の後面に設ける開閉自在に構成する支持部に装着された原稿押さえを備え、前記筐体に跨らせた読取り原稿を前記透明板側に押圧することを特徴とする。
【００２１】
また、本発明の画像読取装置は、筐体を縦長の断面とする筒形で形成し、前記筐体の前面に読取り原稿と接触する略垂直に設けた透明板と、この透明板の背面に沿って走行する読取ユニットとを備え、書籍等の読取り原稿を僅か開いた状態で前記筐体に跨らせることにより、その透明板と接触する頁を読み取る画像読取装置であって、
前記筐体に跨らせた読取り原稿の一辺を突き当てるとともに前記読取り原稿の一辺を挟みこむように略Ｌ字形状に形成された原稿押さえを備えることを特徴とする。
【００２２】
また、本発明の画像読取装置は、筐体を縦長の断面とする筒形で形成し、前記筐体の前面に読取り原稿と接触する略垂直に設けた透明板と、この透明板の背面に沿って走行する読取ユニットとを備え、書籍等の読取り原稿を僅か開いた状態で前記筐体に跨らせることにより、その透明板と接触する頁を読み取る画像読取装置であって、
前記筐体の前面にエアーを噴出するノズルを配置し、真空ポンプによってエアーを前記透明板側へと吹き付ける機構を備え、前記筐体に跨らせた読取り原稿を前記透明板側に押圧することを特徴とする。
【発明の効果】
【００２３】
この発明により、以下に示すような効果が期待できる。
【００２４】
本発明の画像読取装置によれば、筐体に跨らせた読取り原稿の綴じ部を前記筐体の上部へと押圧する原稿押さえを備えるので、僅か開いた状態で筐体に跨らせた書籍等の綴じ部近傍が筐体の上部から浮くことを防止する。これにより、綴じ部近傍では読み取ろうとする紙面が透明板から浮き上がることがなく、かつ綴じた部分が文字や図形が変形したり紙が浮き上がった部分が黒い汚れとなって読み取られたりすることがなくなり、使い勝手の良い画像読取装置を提供することができる。
【００２５】
さらに、本発明の画像読取装置によれば、筐体に跨らせた読取り原稿の綴じ部の内側と接触する摩擦係数が大きい部材で形成する滑り防止部材を前記筐体の上部に備えるので、筐体に跨らせた読取り原稿である書籍等を読み終わった後に、手を離した場合に書籍等が画像読取装置から落下するのを防止することができる。
【００２６】
さらに、本発明の画像読取装置によれば、筐体の一端から他端に伸びる伸縮自在な線状の伸縮部材によって構成する原稿押さえを備え、前記筐体に跨らせた読取り原稿を前記透明板の略中央部側へと押圧するので、読取面の中央部付近を点状に押えることができる。これにより、読み取ろうとする紙面が透明板から浮き上がることがないので、浮き上がった部分が黒い汚れとなって読み取られたりすることがなくなる。
【００２７】
さらに、本発明の画像読取装置によれば、細長いアーム状に形成するとともに、アームの一端が回転機構を持つ支点部に回転自在に装着された原稿押さえを備え、前記筐体に跨らせた読取り原稿を前記透明板の略中央部側へと押圧するので、読取面の中央部付近を点状に押えることができる。これにより、読み取ろうとする紙面が透明板から浮き上がることがないので、浮き上がった部分が黒い汚れとなって読み取られたりすることがなくなる。
【００２８】
さらに、本発明の画像読取装置によれば、筐体に巻き付ける伸縮自在な環状の伸縮部材によって構成する原稿押さえを備え、前記筐体に跨らせた読取り原稿を前記透明板側に押圧するので、読取面の中央部付近を線状に押えることができる。これにより、読み取ろうとする紙面が透明板から浮き上がることがないので、浮き上がった部分が黒い汚れとなって読み取られたりすることがなくなる。
【００２９】
さらに、本発明の画像読取装置によれば、略コ字形状に形成され、その両端が筐体の後面に設ける開閉自在に構成する支持部に装着された原稿押さえを備え、前記筐体に跨らせた読取り原稿を前記透明板側に押圧するので、読取面の中央部付近を線状に押えることができる。これにより、読み取ろうとする紙面が透明板から浮き上がることがないので、浮き上がった部分が黒い汚れとなって読み取られたりすることがなくなる。
【００３０】
さらに、本発明の画像読取装置によれば、筐体に跨らせた読取り原稿の一辺を突き当てるとともに前記読取り原稿の一辺を挟みこむように略Ｌ字形状に形成された原稿押さえを備えるので、読み取ろうとする紙面が透明板から浮き上がることを防止するとともに、読み取り原稿の読み取り基準位置を規定することができる。
【００３１】
さらに、本発明の画像読取装置によれば、筐体の前面にエアーを噴出するノズルを配置し、真空ポンプによってエアーを前記透明板側へと吹き付ける機構を備え、前記筐体に跨らせた読取り原稿を前記透明板側に押圧するので、読み取ろうとする紙面が透明板から浮き上がることを防止することができる。なお、機構的な部材の操作を必要とすることなく読取り原稿を前記透明板側に押圧することができる。これにより、使い勝手の良い画像読取装置を提供することができる。
【発明を実施するための最良の形態】
【００３２】
図１ないし図２２に基づいて、この発明を実施するための最良の形態を説明する。
【００３３】
図２は、この発明の画像読取装置の説明図であり、原稿押さえ機構を省略して図示した画像読取装置の斜視図を示している。図２において、画像読取装置１の筐体は縦長の断面とする筒形で形成し、筐体の前面には読取り原稿と接触する略垂直に設けた透明板２を備えている。なお、図示していないがこの画像読取装置１は、等倍光学系（密着光学系）あるいは縮小光学系を用いた読取ユニットを備えており、当該読取ユニットは前記の透明板２の背面に沿って筐体の筒軸方向すなわち副走査方向に走行するように構成している。また、前記の画像読取装置１は、その両側面に副走査方向の読取り開始位置を選択的に指示するスイッチ３，４を設けている。一辺を綴じられた書籍の頁を読む場合は、書籍等の読取り原稿を僅か開いた状態で前記画像読取装置１の上部１ａに跨らせることにより、その透明板２と接触する頁を読み取るものである。
【００３４】
筐体に跨らせた読取り原稿の綴じ部を筐体の上部へと押圧する原稿押さえを備える画像読取装置について説明する。
【００３５】
図１は、この発明の画像読取装置の斜視図である。また、図３は、この発明の画像読取装置の書籍を読み取る説明図である。図１において、画像読取装置１は、前述の図２で示した画像読取装置と同じ構成とする。原稿押さえは、略コ字形状に形成し読取り原稿である書籍等の綴じ部を外側から挟みこむように形成する押え部材６と、当該押え部材６と一端が連結され、他端は画像読取装置１の筐体の下部に設ける固定部８に固定された例えば、バネ部材やゴム部材等で形成する主走査方向（図２参照）に伸縮自在な伸縮部材７とで構成する。
【００３６】
図３に示すように、一辺を綴じられた書籍等の読取り原稿を読み取る場合は、書籍等の読取り原稿５を僅か開いた状態で前記画像読取装置１の筐体の上部１ａに跨らせる。そして、押え部材６は読取り原稿５の綴じ部５ａの辺の略中央部を外側から挟みこむ。これによって、伸縮部材７の張力によって読取り原稿５の綴じ部５ａを画像読取装置１の筐体の上部１ａへと押圧する。また、伸縮部材７によって読取り原稿５の読取面の中央部付近を主走査方向（図２参照）に線状に押える。これにより、書籍等の綴じ部５ａ近傍が筐体の上部１ａから浮くことを防止するとともに、読み取ろうとする紙面が透明板２から浮き上がることがなくなる。
【００３７】
図４は、この発明の画像読取装置の斜視図である。また、図５は、この発明の画像読取装置の書籍を読み取る説明図である。図４において、画像読取装置１は、前述の図２で示した画像読取装置と同じ構成とする。原稿押さえは、折り目９ａを設けて略コ字形状に形成することができる押え部材９で構成する。
【００３８】
図５に示すように、一辺を綴じられた書籍等の読取り原稿を読み取る場合は、書籍等の読取り原稿５を僅か開いた状態で前記画像読取装置１の筐体の上部１ａに跨らせる。そして、押え部材９は読取り原稿５の綴じ部５ａの辺の略中央部を外側から挟みこむ。この時、折り目９ａによって下方に折れ曲がった部分は錘９ｂとなり、その錘９ｂの重力によって読取り原稿５の綴じ部５ａを画像読取装置１の筐体の上部１ａへと押圧する。これにより、書籍等の綴じ部５ａ近傍が筐体の上部１ａから浮くことを防止するとともに、読み取ろうとする紙面が透明板２から浮き上がることがなくなる。
【００３９】
図６及び図７は、この発明の画像読取装置の斜視図である。また、図８は、この発明の画像読取装置の書籍を読み取る説明図である。図６及び図７において、画像読取装置１は、前述の図２で示した画像読取装置と同じ構成とする。原稿押さえは、前記画像読取装置１の筐体の上部１ａの一端に設ける支持部１０と、当該支持部１０の上部に設ける揺動自在な玉継ぎ手からなる支点部１１と、当該支点部１１に一端を揺動自在に装着された細長いアーム１２と、当該アーム１２の他端に読取り原稿５の綴じ部５ａの辺の略中央部に位置するように設ける書籍等の読取り原稿と接触する押え部１３とで構成する。
【００４０】
前記玉継ぎ手からなる支点部１１は、前記アーム１２を矢印Ａ、矢印Ｂ、及び矢印Ｃの方向に揺動させることができる。これにより、図７に示すように、前記画像読取装置１を使用しない場合は、前記アーム１２を前記筐体の前面に設置させる。図８に示すように、一辺を綴じられた書籍等の読取り原稿を読取る場合は、書籍等の読取り原稿５を僅か開いた状態で前記画像読取装置１の筐体の上部１ａに跨らせる。そして、前記アーム１２を前記画像読取装置１の筐体の上部１ａに設置させ前記押え部１３を綴じ部５ａ近傍に接触させる。
【００４１】
なお、読取り原稿５を前記画像読取装置１の筐体の上部１ａへと押圧する押圧力は、玉継ぎ手からなる支点部１１の摩擦力あるいは前記アーム１２を筐体の上部１ａの方向へ付勢するバネ部材１４による。これにより、書籍等の綴じ部５ａ近傍が筐体の上部１ａから浮くことを防止するとともに、読み取ろうとする紙面が透明板２から浮き上がることがなくなる。
【００４２】
図９は、この発明の画像読取装置の斜視図である。図９において、画像読取装置１は、前述の図２で示した画像読取装置と同じ構成とする。原稿押さえは、前記画像読取装置１の筐体の上部１ａの一端に設ける上下動自在な支持構造を持つ支持部１５と、支持部１５に一端を上下動自在に装着された細長いアーム１２と、アーム１２の他端に読取り原稿５の綴じ部５ａの辺の略中央部に位置するように設ける書籍等の読取り原稿と接触する押え部１３とで構成する。
【００４３】
図８に示すように、一辺を綴じられた書籍等の読取り原稿を読み取る場合は、書籍等の読取り原稿５を僅か開いた状態で前記画像読取装置１の筐体の上部１ａに跨らせる。そして、前記アーム１２を下方に移動させ前記押え部１３を綴じ部５ａ近傍に接触させる。なお、読取り原稿５を前記画像読取装置１の筐体の上部１ａへと押圧する押圧力は、支持部１５の摩擦力による。これにより、書籍等の綴じ部５ａ近傍が筐体の上部１ａから浮くことを防止するとともに、読み取ろうとする紙面が透明板から浮き上がることがなくなる。
【００４４】
筐体に跨らせた読取り原稿を読み終わった後に、手を離した場合に書籍等が画像読取装置から落下するのを防止する機構を備える画像読取装置について説明する。
【００４５】
図１０は、この発明の画像読取装置の斜視図である。また、図１１は、この発明の画像読取装置の書籍を読み取る説明図である。図１０及び図１１において、画像読取装置１は、前述の図２で示した画像読取装置と同じ構成とする。前記画像読取装置１の筐体の上部１ａに前記筐体に跨らせた読取り原稿５の綴じ部５ａの内側と接触する摩擦係数が大きい例えばゴム部材で形成する滑り防止部材１６を設ける。
【００４６】
書籍等を読取る場合には書籍の綴じ部近傍が透明板２から浮いた状態になるケースが多いので、書籍を外側から透明板２側に押圧する必要があり、操作者が自身の手で書籍を外側から透明板側に押圧する。そして、書籍を読み終わった後に手を離した場合に、前記摩擦係数が大きい滑り防止部材１６が読取り原稿５の綴じ部５ａの内側と接触しているので書籍が画像読取装置１から落下するのを防止する。
【００４７】
筐体に跨らせた読取り原稿の読取面の中央部付近を押える機構を備える画像読取装置について説明する。
【００４８】
図１２は、この発明の画像読取装置の斜視図である。また、図１３は、この発明の画像読取装置の書籍を読み取る説明図である。図１２において、画像読取装置１は、前述の図２で示した画像読取装置と同じ構成とする。原稿押さえは、細長い部材を円形に形成する押え部材２０と、押え部材２０に固定され一端を画像読取装置１の筐体の固定部２２に固定するとともに、他端を画像読取装置１の筐体の装着部２４に着脱自在に装着する着脱部２３とを設ける伸縮自在な線状の例えばゴム部材からなる伸縮部材２１により構成する。
なお、押え部材２０は必ずしも必要ではなく、伸縮部材２１のみで構成しても良い。
【００４９】
図１３に示すように、一辺を綴じられた書籍等の読取り原稿を読み取る場合は、書籍等の読取り原稿５を僅か開いた状態で前記画像読取装置１の筐体の上部１ａに跨らせる。そして、伸縮部材２１に設ける着脱部２３を前記装着部２４に装着することで、前記筐体に跨らせた読取り原稿５を前記透明板２の略中央部側へと押圧することで、読取面の中央部付近を点状に押える。これにより、読み取ろうとする紙面が透明板２から浮き上がることがなくなる。
【００５０】
図１４は、この発明の画像読取装置の書籍を読み取る説明図である。また、図１５は、この発明の画像読取装置の説明図である。図１４において、画像読取装置１は、前述の図２で示した画像読取装置と同じ構成とする。原稿押さえは、例えば、バネ部材を細長いアーム状に形成するアーム２６と、当該アーム２６の一端を装着し前記アーム１２を透明板２沿って矢印Ａ方向に回転させる回転機構を持つ支点部２８に回転自在に装着される。前記アーム２６の他端は、前記画像読取装置１の筐体の上部１ａに跨らせた読取り原稿５を前記透明板２の略中央部側へと押圧する押え部２７を設ける。前記支点部２８は画像読取装置１の筐体の下部に設ける支持部２９に設けている。なお、前記支持部２９は矢印Ｂ方向すなわち前後方向に移動自在な支持構造を持つことが好ましい。
【００５１】
読取り原稿５を前記透明板２の略中央部側へと押圧する押圧力は、アーム２６を形成するバネ部材あるいは前記支持部２９の前後方向（矢印Ｂ方向）に移動させる摩擦力による。前記筐体に跨らせた読取り原稿５を前記透明板２の略中央部側へと押圧することで、読取面の中央部付近を点状に押える。これにより、読み取ろうとする紙面が透明板２から浮き上がることがなくなる。なお、図１５に示すように、前記画像読取装置１を使用しない場合は、前記アーム２６を前記筐体の前面の下部に設置させる。
【００５２】
図１６は、この発明の画像読取装置の書籍を読み取る説明図である。図１６において、画像読取装置１は、前述の図２で示した画像読取装置と同じ構成とする。原稿押さえは、前記筐体に巻き付ける伸縮自在な環状の例えばゴム部材からなる伸縮部材３１によって構成する。一辺を綴じられた書籍等の読取り原稿を読取る場合は、書籍等の読取り原稿５を僅か開いた状態で前記画像読取装置１の筐体の上部１ａに跨らせる。そして、前記伸縮部材３１を前記読取り原稿５の略中央部付近に設置し、前記読取り原稿５を前記透明板２側に押圧することで、読取面の中央部付近を線状に押える。これにより、読み取ろうとする紙面が透明板２から浮き上がることがなくなる。
【００５３】
図１７は、この発明の画像読取装置の斜視図である。また、図１８は、この発明の画像読取装置の書籍を読み取る説明図である。図１７及び図１８において、画像読取装置１は、前述の図２で示した画像読取装置と同じ構成とする。原稿押さえは、横棒からなる押え部３４と、当該押え部３４の両端に連結されたアーム３３とによって略コ字形状に形成され、前記アーム３３の両端は、図１８に示すように前記画像読取装置１の筐体の後面に設けるリテントバネを内蔵し、前記押え部３４を矢印方向（前後方向）に開閉自在に構成する支持部３５に装着される。
【００５４】
一辺を綴じられた書籍等の読取り原稿を読み取る場合は、書籍等の読取り原稿５を僅か開いた状態で前記画像読取装置１の筐体の上部１ａに跨らせる。そして、前記押え部３４を前記書籍等の読取り原稿５に接触させ、前記筐体に跨らせた読取り原稿５を前記透明板２側に押圧することで、読取面の中央部付近を線状に押える。これにより、読み取ろうとする紙面が透明板２から浮き上がることがなくなる。
【００５５】
書籍の浮き上がりを防止するとともに、読み取り原稿の読み取り基準位置を規定することができる画像読取装置について説明する。
【００５６】
図１９は、この発明の画像読取装置の書籍を読み取る説明図である。また、図２０は、この発明の画像読取装置の説明図である。図１９及び図２０において、画像読取装置１は、前述の図２で示した画像読取装置と同じ構成とする。原稿押さえは、前記筐体に跨らせた読取り原稿５の一辺を突き当てるとともに、前記読取り原稿５の一辺を挟みこむように略Ｌ字形状に形成された突き当て部材４０からなる。なお、突き当て部材４０は透明板２の右辺又は左辺に設けるのが望ましい。
【００５７】
一辺を綴じられた書籍等の読取り原稿を読み取る場合は、書籍等の読取り原稿５を僅か開いた状態で前記画像読取装置１の筐体の上部１ａに跨らせる。そして、読取り原稿５の一辺を突き当て部材４０に突き当てるとともに前記読取り原稿５の一辺を突き当て部材４０に挟みこむ。これにより、読み取ろうとする紙面が透明板２から浮き上がることがなくなる。また、読み取り原稿５の読み取り基準位置を規定することができる。
【００５８】
なお、図２０に示すように、前記突き当て部材４０に加えて、透明板２の下辺に原稿を支える板部材からなる支え部材４１を設けるのが望ましい。１枚ずつばらばらになった原稿を読み取る場合に、１枚ずつばらばらになった原稿の下辺を支え部材４１に突き当てて支え、さらに原稿の側辺を突き当て部材４０に突き当てるとともに、前記原稿の側辺を突き当て部材４０に挟みこむ。これにより、１枚ずつばらばらになった原稿においても、読み取ろうとする紙面が透明板２から浮き上がることがなくなる。また、原稿の読み取り基準位置を規定することができる。
【００５９】
機構的な部材の操作を必要とすることなく読取り原稿を透明板側に押圧することができる画像読取装置について説明する。
【００６０】
図２１は、この発明の画像読取装置の斜視図である。また、図２２は、この発明の画像読取装置の書籍を読み取る説明図である。図２１において、画像読取装置１は、前述の図２で示した画像読取装置と同じ構成とする。原稿押さえは、透明板２の下辺に設けるエアー吹付け機構５０によって構成する。
【００６１】
図２２に示すように、エアー吹付け機構５０は、フレーム５４を透明板２の下辺に設け、フレーム５４には、画像読取装置１の筐体の前面にエアーを噴出するノズル５１を副走査方向（図２参照）に複数個配置し、ホース５２を介して画像読取装置１に設けた真空ポンプ５３によってエアーを前記透明板２側へと吹き付ける機構を備えている。前記透明板２側へと吹き付けるエアーの噴出方向は、やや上向（矢印Ａの方向）、あるいは透明板２に対して略垂直方向（矢印Ｂの方向）が望ましい。
【００６２】
この例では、画像読取装置１の筐体の上部１ａに跨らせた一辺を綴じられた書籍等を読み取る場合、あるいは、フレーム５４に支えられた１枚ずつばらばらになった原稿を読み取る場合において、機構的な部材の操作を必要とすることなく、読取り原稿を前記透明板２側に押圧する。これにより、書籍等一辺を綴じられた原稿及び１枚ずつばらばらになった原稿を読み取る場合に、読み取ろうとする紙面が透明板２から浮き上がることがなくなる。
【図面の簡単な説明】
【００６３】
【図１】この発明の画像読取装置の斜視図である。
【図２】この発明の画像読取装置の説明図である。
【図３】この発明の画像読取装置の書籍を読み取る説明図である。
【図４】この発明の画像読取装置の斜視図である。
【図５】この発明の画像読取装置の書籍を読み取る説明図である。
【図６】この発明の画像読取装置の斜視図である。
【図７】この発明の画像読取装置の書籍を読み取る説明図である。
【図８】この発明の画像読取装置の斜視図である。
【図９】この発明の画像読取装置の斜視図である。
【図１０】この発明の画像読取装置の斜視図である。
【図１１】この発明の画像読取装置の書籍を読み取る説明図である。
【図１２】この発明の画像読取装置の斜視図である。
【図１３】この発明の画像読取装置の書籍を読み取る説明図である。
【図１４】この発明の画像読取装置の書籍を読み取る説明図である。
【図１５】この発明の画像読取装置の説明図である。
【図１６】この発明の画像読取装置の書籍を読み取る説明図である。
【図１７】この発明の画像読取装置の斜視図である。
【図１８】この発明の画像読取装置の書籍を読み取る説明図である。
【図１９】この発明の画像読取装置の書籍を読み取る説明図である。
【図２０】この発明の画像読取装置の説明図である。
【図２１】この発明の画像読取装置の斜視図である。
【図２２】この発明の画像読取装置の書籍を読み取る説明図である。
【符号の説明】
【００６４】
１：画像読取装置
１ａ：上部
２：透明板
５：読取り原稿
５ａ：綴じ部
６，９，２０：押え部材
７，２１，３１：伸縮部材
８，２２：固定部
９ａ：折り目
９ｂ：錘
１０，１５，２９，３５：支持部
１１，２８：支点部
１２，２６，３３：アーム
１３，２７，３４：押え部
１４：バネ部材
１６：滑り防止部材
２３：着脱部
２４：装着部
４０：突き当て部材
４１：支え部材
５０：エアー吹付け機構
５１：ノズル
５２：ホース
５３：真空ポンプ
【図１】
2006203377.tif 000003
【図２】
2006203377.tif 000004
【図３】
2006203377.tif 000005
【図４】
2006203377.tif 000006
【図５】
2006203377.tif 000007
【図６】
2006203377.tif 000008
【図７】
2006203377.tif 000009
【図８】
2006203377.tif 000010
【図９】
2006203377.tif 000011
【図１０】
2006203377.tif 000012
【図１１】
2006203377.tif 000013
【図１２】
2006203377.tif 000014
【図１３】
2006203377.tif 000015
【図１４】
2006203377.tif 000016
【図１５】
2006203377.tif 000017
【図１６】
2006203377.tif 000018
【図１７】
2006203377.tif 000019
【図１８】
2006203377.tif 000020
【図１９】
2006203377.tif 000021
【図２０】
2006203377.tif 000022
【図２１】
2006203377.tif 000023
【図２２】
2006203377.tif 000024